(57)【要約】【課題】ユーザ認証に必要な操作と装置に対する操作とに関する、操作性を向上させることを可能とするメニュー装置を提供する。【解決手段】ユーザをユーザに固有な所定の認証対象により認証する認証手段と、認証されたユーザに依存するメニュー項目を少なくとも１つ含むメニューを表示部に表示するメニュー表示手段と、前記メニューに含まれる各メニュー項目の基準位置からみた方向と、前記ユーザによる操作から検出された操作方向に少なくとも基づいて前記ユーザにより選択された前記メニュー項目を特定するメニュー項目特定手段と、を備える。【選択図】図２
2018136665.tif 000002
【特許請求の範囲】
【請求項１】
ユーザを認証する認証手段と、
認証されたユーザに依存するメニュー項目を少なくとも１つ含むメニューを表示部に表示するメニュー表示手段と、
前記メニューに含まれる各メニュー項目の基準位置からみた方向と、前記ユーザによる前記表示部に付帯して配設されたタッチセンサを通じてなされる操作から検出された操作方向とに少なくとも基づいて前記ユーザにより選択された前記メニュー項目を特定するメニュー項目特定手段と、
を備えることを特徴とするメニュー装置。
【請求項２】
請求項１に記載のメニュー装置であって、
前記メニュー項目特定手段は、前記メニューに含まれる各メニュー項目の所定位置からの距離と、前記ユーザによる操作から検出された操作距離とにも基づいて前記ユーザにより選択された前記メニュー項目を特定することを特徴とするメニュー装置。
【請求項３】
請求項１又は２に記載のメニュー装置であって、
前記認証手段は、前記表示部に載置されたユーザの指から検出された指紋によりユーザを認証し、
前記メニュー表示手段は、前記表示部のユーザの指が載置された位置を前記基準位置として、その周辺に前記メニューを表示し、
前記ユーザによる操作とは、前記表示部のユーザの指が載置された位置からの前記指によるフリック操作であることを特徴とするメニュー装置。
【請求項４】
請求項１又は２に記載のメニュー装置であって、
前記認証手段は、指紋認証部に載置されたユーザの指から検出された指紋によりユーザを認証し、
前記メニュー表示手段は、前記指紋認証部の位置を前記基準位置として、それを囲うように配設された表示部に前記メニューを表示し、
前記ユーザによる操作とは、前記指紋認証部からの前記指によるフリック操作であることを特徴とするメニュー装置。
【請求項５】
請求項１又は２に記載のメニュー装置であって、
前記認証手段は、指紋認証部に載置されたユーザの指から検出された指紋によりユーザを認証し、
前記メニュー表示手段は、前記指紋認証部とは独立した位置に存在する表示部に前記メニューを表示し、
前記ユーザによる操作とは、前記指紋認証部からの前記指によるフリック操作であることを特徴とするメニュー装置。
【請求項６】
請求項１又は２に記載のメニュー装置であって、
前記認証手段は、前記表示部に載置されたＩＣカードから読み取られたユーザ識別情報によりユーザを認証し、
前記メニュー表示手段は、前記ＩＣカードが載置された位置を前記基準位置として、その周辺にある表示部に前記メニューを表示し、
前記ユーザによる操作とは、前記ＩＣカードを載置された位置から他の位置に移動する操作であることを特徴とするメニュー装置。
【請求項７】
ユーザの指紋を入力する指紋入力手段と、
前記指紋入力手段を囲むように配設されたタッチセンサと、
前記指紋入力手段から入力された指紋を認証することによって特定されるユーザに依存するメニュー項目を示す画像を前記タッチセンサの配置箇所に対応させて表示する表示部と、
を備えることを特徴とする入力装置。
【請求項８】
前記表示部は、前記タッチセンサと重畳した領域に設けられていることを特徴とする請求項７に記載の入力装置。
【請求項９】
請求項１乃至６の何れか１項に記載のメニュー装置を備えることを特徴とする操作パネルユニット。
【請求項１０】
請求項１乃至６の何れか１項に記載のメニュー装置を備えることを特徴とする複合機。
【請求項１１】
請求項７又は８に記載の入力装置を備えることを特徴とする操作パネルユニット。
【請求項１２】
請求項７又は８に記載の入力装置を備えることを特徴とする複合機。
【請求項１３】
ユーザを認証する認証ステップと、
認証されたユーザに依存するメニュー項目を少なくとも１つ含むメニューを表示部に表示するメニュー表示ステップと、
前記メニューに含まれる各メニュー項目の基準位置からみた方向と、前記ユーザによる前記表示部に付帯して配設されたタッチセンサを通じてなされる操作から検出された操作方向とに少なくとも基づいて前記ユーザにより選択された前記メニュー項目を特定するメニュー項目特定ステップと、
を備えることを特徴とするメニュー提供方法。
【請求項１４】
コンピュータを請求項１乃至６の何れか１項に記載のメニュー装置として機能させることを特徴とするメニュープログラム。
【発明の詳細な説明】
【技術分野】
【０００１】
本発明は、メニュー装置、入力装置、メニュー提供方法及びメニュープログラムに関し、特に、装置に対する操作に関連したメニュー装置、入力装置、メニュー提供方法及びメニュープログラムに関する。
【背景技術】
【０００２】
特許文献１には、高いセキュリティ性および高い操作性を有する指紋認証機能を備える情報処理装置が開示されている。この情報処理装置では、表示・指紋読取部の指紋読取面から指紋が入力されると、指紋データセンシング制御部が指紋データおよび座標データを読取り、記憶部に格納し、指紋データが予め登録されて記憶部に記憶された指紋データと照合され、一致する指紋があるかどうかの認証がなされている。
【０００３】
特許文献２には、操作性に優れ、編集効率のよいデータ編集方法が開示されている。このデータ編集方法では、ペンによって接触された点を中心にし、それを取り囲むように、それぞれが異なる処理に対応する複数のアイコンが配置される。
【先行技術文献】
【特許文献】
【０００４】
【特許文献１】特開２０００−２９３２５３号公報
【特許文献２】特開平９−２０４４２６号公報
【発明の概要】
【発明が解決しようとする課題】
【０００５】
しかし、特許文献１に開示された発明は、高いセキュリティ性のある指紋認証機能を備える情報処理装置が実現されるものの、ユーザ認証に必要な操作と、コピー、ファクシミリ、スキャンといった複合機などの装置に対する操作とが連続的に行えるまでには至っておらず、操作性の改善が要求されている。
【０００６】
また、特許文献２に開示された発明は、所要のペン操作により、タッチ位置の周辺に複数の所要のアイコンが表示される点で、優れた操作性が実現できるものの、特許文献１と同じく、ユーザ認証に必要な操作と、コピー、ファクシミリ、スキャンといった複合機などの装置に対する操作とが連続的に行えるまでには至っておらず、操作性の更なる改善が要求されている。
【０００７】
そこで、本発明は、ユーザ認証に必要な操作と装置に対する操作とに関する、操作性を向上させることを可能とするメニュー装置、入力装置、メニュー提供方法及びメニュープログラムを提供することを目的とする。
【課題を解決するための手段】
【０００８】
上記課題を解決するために、本発明によれば、
ユーザを認証する認証手段と、
認証されたユーザに依存するメニュー項目を少なくとも１つ含むメニューを表示部に表示するメニュー表示手段と、
前記メニューに含まれる各メニュー項目の基準位置からみた方向と、前記ユーザによる前記表示部に付帯して配設されたタッチセンサを通じてなされる操作から検出された操作方向とに少なくとも基づいて前記ユーザにより選択された前記メニュー項目を特定するメニュー項目特定手段と、
を備えることを特徴とするメニュー装置が提供される。
【０００９】
また、本発明によれば、
ユーザの指紋を入力する指紋入力手段と、
前記指紋入力手段を囲むように配設されたタッチセンサと、
前記指紋入力手段から入力された指紋を認証することによって特定されるユーザに依存するメニュー項目を示す画像を前記タッチセンサの配置箇所に対応させて表示する表示部と、
を備えることを特徴とする入力装置が提供される。
【００１０】
更に、本発明によれば、上記のメニュー装置を備えることを特徴とする操作パネルユニットが提供される。
【００１１】
更に、本発明によれば、上記のメニュー装置を備えることを特徴とする複合機が提供される。
【００１２】
更に、本発明によれば、上記の入力装置を備えることを特徴とする操作パネルユニットが提供される。
【００１３】
更に、本発明によれば、上記の入力装置を備えることを特徴とする複合機が提供される。
【００１４】
更に、本発明によれば、
ユーザをユーザに固有な所定の認証対象により認証する認証ステップと、
認証されたユーザに依存するメニュー項目を少なくとも１つ含むメニューを表示部に表示するメニュー表示ステップと、
前記メニューに含まれる各メニュー項目の基準位置からみた方向と、前記ユーザによる前記表示部に付帯して配設されたタッチセンサを通じてなされる操作から検出された操作方向に少なくとも基づいて前記ユーザにより選択された前記メニュー項目を特定するメニュー項目特定ステップと、
を備えることを特徴とするメニュー提供方法が提供される。
【００１５】
更に、本発明によれば、コンピュータを上記のメニュー装置として機能させることを特徴とするメニュープログラムが提供される。
【発明の効果】
【００１６】
本発明によれば、ユーザ認証に必要な操作がなされ、実際にユーザ認証がなされると、そのユーザが予め設定した画像形成に必要な指示領域が表示されるため、操作性を向上させることができる。
【図面の簡単な説明】
【００１７】
【図１】本発明の第１の実施の形態による複合機の概念的外観図である。
【図２】図１に示す表示部の画面例を示す図である。
【図３】図２（ａ）に示すメニュー表示部の表示例を示す図である。
【図４】図２及び図３に示す表示部に係る指示領域表示装置の機能ブロック図である。
【図４Ｂ】図４に示す表示画像生成部の構成を示すブロック図である。
【図５】本発明の第２の実施の形態に係るタッチセンサディスプレイの表示例を示す図である。
【図６】本発明の第３の実施の形態に係るディスプレイ及びタッチセンサの表示例を示す図である。
【図７】本発明の第４の実施の形態に係るタッチパネルディスプレイの表示例を示す図である。
【図８】本発明の第５の実施の形態による複合機の内部構成図である。
【図９】図８に示す複合機の機能ブロック図である。
【発明を実施するための形態】
【００１８】
以下、図面を参照して本発明を実施するための形態について詳細に説明する。
【００１９】
［第１の実施の形態］
図１は、本発明の第１の実施の形態による複合機８００の概念的外観図である。図１に示すように、本実施形態の複合機８００は、原稿読み取り部２００の奥側で、ヒンジ部などを通じて接続されている原稿送り装置１００を備える。この複合機８００を使用する際には、通常、原稿送り装置１００を開いた状態で、原稿読み取り部２００に原稿を置き、その後に、原稿送り装置１００を閉じることで原稿の位置決めを行う。なお、原稿送り装置１００には、自動原稿送り装置を採用することもできる。
【００２０】
ユーザは、操作パネル部８４３に設けられている表示部８４５（図２等）のタッチセンサであるところのタッチパネルディスプレイ３１０に表示される画面に従って、コピー、ファクシミリ、スキャンなどの各種指示を行えばよい。コピー等の指示がされた場合の複合機８００の詳細な動作については、後掲の第５の実施の形態で説明することとして、ここでは概略説明にとどめるが、ユーザが表示部８４５等を通じて例えばコピーの指示をした際には、複合機本体８３０は、ピックアップローラ１５（図８）等を作動させて、給紙トレイ６００に収納されているシートを搬送させ、原稿読み取り部２００によって読み取られた原稿の内容をシートに転写することによって印刷する。その後、複合機本体８３０は、排出ローラ対１８（図８）を作動させ、原稿の内容が転写されたシートが、排出シート積載部１９（図８）に排出される。
【００２１】
なお、ファクシミリ、スキャンの指示がなされた場合にも、それぞれ、既知のように、それらの指示に応じて、ファクシミリ処理、スキャン処理がなされる。
【００２２】
ここで、操作パネル部８４３は、その上部に設けられているヒンジ部等を通じて、複合機本体８３０の手前側に接続されている。操作パネル部８４３は、通常、コピー等の指示をする際には、図１に示す状態から、操作パネル部８４３を複合機本体８３０に対して回動させて、表示部８４５が設けられている操作面が略水平となるようにしてから操作をする。操作パネル部８４３は、使用後には図１に示すように戻せばよい。
【００２３】
なお、複合機本体８３０は、操作パネル部８４３が図１に示す位置にある場合には、節電のため省エネルギーモードに切り替え、この状態から操作パネル部８４３が回動されたことを検知すると、コピーなどを実行できる通常モードに切り替え、その後に、操作パネル部８４３が図１に示す位置に戻されたことを検知すると、再度、省エネルギーモードに切り替えるようにしてもよい。
【００２４】
また、複合機本体８３０は、操作パネル部８４３が、その操作面がほぼ水平となる位置にある状態で、所定期間、操作されない状態が続いたことを検知すると、通常モードから省エネルギーモードに移行するようにしてもよい。
【００２５】
図２（ａ）、図２（ｂ）は、図１に示す操作パネル部８４３に設けられている表示部８４５のタッチパネルディスプレイ３１０に表示される画面例を示す図である。図２（ａ）、図２（ｂ）には、それぞれ、タッチパネルディスプレイ３１０内に設けられたユーザ認証用の指紋検出部３２０と、指紋検出部３２０に付帯して設けられる画像形成に必要な指示を選択させるメニュー表示部３３０とを示している。
【００２６】
タッチパネルディスプレイ３１０は、実施形態にもよるが、音響波照合方式、超音波表面弾性波方式、静電容量方式、光方式、抵抗膜方式など、方式の種別を問わず採用することができる。本実施形態の場合には、タッチパネルディスプレイ３１０内に指紋検出部３２０が設けられているため、静電容量方式、光方式、抵抗膜方式などを採用することが好ましい。特に、後述するフリック操作を行う場合に反応性が高い静電容量方式を採用することが好ましい。また、タッチパネルディスプレイ３１０は、上記のように、指紋検出部３２０とメニュー表示部３３０との双方を表示するところ、これらは物理的に同一表面であるので滑らかに繋がっているため、ユーザは、指紋検出のための操作に引き続き、フリック操作を容易に行うことができる。
【００２７】
指紋検出部３２０は、タッチパネルディスプレイ３１０に対して全面的に設けてもよいし、特定の一部にのみ設けてもよい。全面的に設ける場合には、指紋検出をしていない時にタッチパネルディスプレイ３１０の全面を通じて、所要の表示を行うようにすべきである。
【００２８】
これを実現するためには、例えば、タッチパネルディスプレイ３１０が光方式の場合には、タッチパネルディスプレイ３１０の表層に光センサを配列することによって実現すればよく、抵抗膜方式の場合及び静電容量方式の場合には、タッチパネルディスプレイ３１０の表面側に液晶層又は有機ＥＬ層などの表示層を設け、タッチパネルディスプレイ３１０の裏面側に指紋検出部３２０を設けることによって実現すればよい。随時又は所定の期間にタッチパネルディスプレイ３１０の任意の箇所で表示内容に拘わらず指紋認証を受け付けることができるようになる。ただし、利用状況や装置の状態や有効にされている機能などに応じて、指紋認証を可能とする領域を変更し、他の領域で指紋認証を不可能としてもよい。その場合、指紋認証を可能としている領域であることを示すためにその領域の表示を変更してもよい。
【００２９】
一方、指紋検出部３２０は、図２（ａ）に示すように中央付近のみ或いは図２（ｂ）に示すように右下付近のみのように、一部だけに設けてもよい。もっとも、図２（ａ）、図２（ｂ）に示す指紋検出部３２０の位置はあくまで例示であり、例えば左下付近、上側半分程度などに設けることもできるが、これらに限定されるものではない。図２（ｂ）を変形して、指紋検出部３２０を中央に置き、周囲八方にメニュー表示部３３０を設けてもよい。この場合、指紋検出部３２０から指が移動する方向のみにより選択されたメニュー項目を知ることができる。また、同じメニュー項目を表示する場合であっても、表示する位置により、指紋検出部３２０とメニュー表示部３３０との位置関係が異なるようにしてもよい。例えば、画面の右下の隅がタッチされた場合に指紋を検出するのであれば、図２（ｂ）に示すような位置にメニュー表示部３３０を配置し、画面の中央部がタッチされた場合に指紋を検出するのであれば、その周囲八方のメニュー表示部３３０を配置するようにしてもよい。
【００３０】
メニュー表示部３３０は、既述のように、指紋検出部３２０に隣接して設けられている。ここでは、メニュー表示部３３０は、指紋検出部３２０とともに、例えば、アイコン表示で実現している。メニュー表示部３３０の各アイコンに割り当てる指示の具体例については、図３を用いて後述する。
【００３１】
図２（ａ）に示す例では、○形状をした指紋検出部３２０の上下左右の合計４か所に、□形状をしたメニュー表示部３３０が設けられている。もっとも、指紋検出部３２０とメニュー表示部３３０との数及びレイアウトは、図２（ａ）に示す場合に限られず、メニュー表示部３３０は指紋検出部３２０の上下左右のうちいくつかだけとしてもよいし、指紋検出部３２０の四隅のいくつかにも設けてもよいし、上下左右及び四隅のいくつかとしてもよい。
【００３２】
また、アイコンの形状も○又は□に限定されるものではない。特に、指紋検出部３２０については、平面的な２次元センサではなく、直線的な１次元センサとすることもできる。
【００３３】
図２（ｂ）に示す例では、３行３列のアイコンのうち、３行３列目に指紋検出部３２０が位置し、他の行列にメニュー表示部３３０が合計８か所設けられている。行列数及び指紋検出部３２０とメニュー表示部３３０とのレイアウト及びアイコン形状は、図２（ｂ）に示すものに限られない。
【００３４】
図３は、図２（ａ）に示すメニュー表示部３３０の表示例を示す図である。図３には、指紋検出部３２０を中心として、上側にコピーを指示する第１アイコン３３０ａを、右側にスキャンを指示する第２アイコン３３０ｂを、左側にファクシミリの送信を指示する第３アイコン３３０ｃを、下側に各種ジョブメニューの呼び出しを指示する第４アイコン３３０ｄを示している。
【００３５】
本実施形態では、指紋検出部３２０により検出された指紋により特定されるユーザにより、第１アイコン３３０ａ乃至第４アイコン３３０ｄに割り当てる指示を切り替えてもよいし、少なくともその一部について、全てのユーザに共通した指示を割り当ててもよい。
【００３６】
第１アイコン３３０ａが選択された場合には、既述のようなコピー処理がなされる。第２アイコン３３０ｂが選択された場合には、原稿をスキャンして、そのスキャンデータが図示しないイントラネットなどのネットワーク接続されているパーソナルコンピュータに対して送信し、当該コンピュータ上の共有フォルダへ格納される。第３アイコン３３０ｃが選択された場合には、予め登録されている宛先１へファクシミリが送信される。第４アイコン３３０ｄが選択された場合には、複合機８００で用意されている各種ジョブメニューが呼び出されてタッチパネルディスプレイ３１０に表示される。
【００３７】
なお、第１〜第４アイコン３３０ａ〜３３０ｄに割り当てている各種指示は、あくまで例示であり、例えば、「カラーコピー」又は「片面コピー」のようにコピーの種別の指示としてもよいし、「宛先２へＦＡＸ」「宛先３へＦＡＸ」「宛先４へＦＡＸ」のように、複数の宛先へファクシミリを送信することの指示としてもよい。
【００３８】
また、例えば、宛先１、２、３をユーザごとに切り替えるようにしてもよい。
【００３９】
つまり、各アイコンに対する設定し得る指示は、コピー、ファクシミリ、スキャン或いは画像形成に必要なジョブの選択、又は、これらのいずれか種別の指示とすることができる。なお、ジョブメニューの例示を挙げると、イントラネットなどのネットワークの設定指示、スキャンデータの格納先の設定指示、スキャンデータの解像度設定指示、印刷の濃淡の設定指示などが挙げられる。
【００４０】
ユーザにより選択できるジョブを切り替えるようにしてもよいし、ユーザによりネットワーク設定項目の選択できる値（メニューにより複数）を切り替えるようにしてもよいし、ユーザにより選択できる格納先（複数）を切り替えるようにしてもよい。また、ユーザにより選択できる解像度を切り替えてもよいし、ユーザにより選択できる濃淡を切り替えてもよい。
【００４１】
これらは、ショートカットメニューであるので、他の値などを選択できないようにするわけではない。ショートカットメニューは、例えば、指紋認証できる領域をユーザが触れた時に表示する。
【００４２】
メニュー構成として、例えば、変更できる項目をメニュー項目として表示する。ユーザがその都度頻繁に変更する項目をメニュー項目とする。例えば、複写枚数、集約枚数、倍率、色モードをメニュー項目として、複写枚数が選択されたならば、複写枚数設定用の画面を表示する。ユーザＡ用に、複写枚数、集約枚数、倍率、色モードをメニュー項目とするならば、ユーザＢ用には、他のもの（例えば、解像度、濃度、・・・）をメニュー項目とする。
【００４３】
メニュー項目の設定は、ユーザが自分で行ってもよいし、装置側で、各ユーザが選択する内容に従って自動選択してもよい。自動選択したならば、設定前にユーザに確認を求め、ユーザによる変更を受け付けてもよい。
【００４４】
また、一台の複合機８００を複数のユーザが使用できるようにしている場合には、例えば、ユーザＡは図３に示す割り当て例のようなアイコン設定、ユーザＢは全て複数の宛先へファクシミリを送信するといったアイコン設定というように、ユーザごとに異なるアイコン設定ができるようにしてもよい。
【００４５】
特定のユーザであっても、指紋認証用のユーザ情報として、人差指の指紋情報、親指の指紋情報という具合に、複数の指紋情報を登録することで、指紋情報毎に異なるアイコンの設定ができるようにしてもよい。また、例えば、人差指の指紋情報を指紋認証用とし、親指の指紋情報でコピーに関するメニュー表示をし、中指でファクシミリに関するメニュー表示をするというように、メニュー表示を選択できるようにしてもよい。
【００４６】
ところで、ログイン時に一旦ユーザを指紋認証によって特定したならば、その後、わざわざ同じ人を認証する必要はない。例えば、コピーする段階になって、ユーザによってカスタマイズされたメニューを表示するために、再度、指紋認証をする必要はない。したがって、図２、図３のようなメニューを表示させるために、その都度、指紋認証することが必要であってもよいが、一旦ユーザを特定したならば、ログアウト或いはタッチパネルディスプレイ３１０に対して所定期間のタッチが検知されずにタイムアウトするまで、ずっと、そのユーザにカスタマイズしたメニューを表示するようにしてもよい。つまり、この場合には、単に、指紋認証部３２０に指が載置されたならば、指紋認証を省略してそのユーザ用にカスタマイズされたメニューを表示してもよい。
【００４７】
図４は、図２及び図３に示す表示部８４５に係る指示領域表示装置の機能ブロック図である。図４には、以下説明する、メモリ５１０と、登録部５２０と、読取部５３０と、設定部５４０と、生成部５５０と、認証部５６０と、表示画像生成部５７０と、移動検知部５８０と、メニュー項目特定部５９０を示している。
【００４８】
メモリ５１０は、登録部５２０によって登録されるユーザの指紋情報と、設定部５４０によって設定されるメニュー表示部３３０に対応する指示内容と、生成部５５０によって生成された画面とが紐付けられて格納されるものである。
【００４９】
登録部５２０は、表示画像生成部５７０によってタッチパネルディスプレイ３１０に表示される指紋登録画面を通じて読み取られたユーザの指紋情報を、メモリ５１０に登録するものである。
【００５０】
読取部５３０は、指紋検出部３２０を用いてユーザの指紋情報を読み取るものである。読取部５３０によって読み取られた指紋情報は、認証部５６０に出力される。
【００５１】
設定部５４０は、メニュー表示部３３０の各々に設定し得るメニュー項目をユーザに選択させるために、設定画面をタッチパネルディスプレイ３１０に表示し、その結果、ユーザによって選択されるメニュー項目をメモリ５１０に設定するものである。
【００５２】
生成部５５０は、登録部５２０によって登録されるユーザの指紋情報毎に、図２（ａ）等に示す画面におけるメニュー表示部３３０に、設定部５４０によって設定されたメニュー項目を含むメニューを重畳させて図３に示すような第１〜第４アイコン３３０ａ〜３３０ｄを含む画面を生成して、メモリ５１０に格納するものである。
【００５３】
認証部５６０は、指紋検出部３２０によって読み取られたユーザ情報である指紋情報と、登録部５１０によって登録されている指紋情報とが一致するか否かを判定するものである。
【００５４】
表示画像生成部５７０は、タッチパネルディスプレイ３１０に表示される各種画面を生成するものである。表示画像生成部５７０は、特にメニュー画像生成部５７０ａを含む。メニュー画像生成部５７０ａは、主として、認証部５６０によって両指紋情報が相互に一致すると判定された場合に、生成部５５０によって生成された画面を生成するものである。つまり、登録部５２０により複数のユーザの指紋が登録されるが、読取部５３０により読み取られた指紋が、登録部５２０により登録されたどの指紋と一致するかにより、ユーザを特定することができ、そして、特定したユーザに関連付けられているメニューの画像を生成する。
【００５５】
移動検知部５８０は、生成部５５０によって生成された画面上で、ユーザがフリック操作又はスライド操作を行った場合に、その指の移動方向を検知するものである。また、必要に応じて、移動検知部５８０は、指の移動方向のみならず移動距離又は指が離れた位置を検知するものである。
【００５６】
メニュー項目特定部５９０は、移動検知部５８０により検知されたフリック操作などの操作方向と、指紋検出部３２０の位置を基準位置とした場合の各メニュー項目の方向に基づいて、ユーザがフリック操作により選択したメニュー項目を特定する。また、図２（ｂ）のようなメニュー構成の場合には、移動検知部５８０により検知されたフリック操作などの操作方向及び操作距離と、指紋検出部３２０の位置を基準位置とした場合の各メニュー項目の方向とそこまでの距離に基づいて、ユーザがフリック操作により選択したメニュー項目を特定する。
【００５７】
つぎに、表示部８４５の操作手法について説明する。まず、初期設定の一貫として、ユーザは、本実施形態の複合機８００の使用に先立って、複合機８００に対してユーザ認証に必要なユーザ情報を登録しなければならない。
【００５８】
これを実現するため、タッチパネルディスプレイ３１０に対して、ユーザ情報を登録していないユーザであっても、操作可能な「ユーザ登録」を用意しておく。ユーザが「ユーザ登録」を選択すると、タッチパネルディスプレイ３１０には、指紋登録をするための説明が記載されている指紋登録画面が、表示画像生成部５７０によって表示される。
【００５９】
指紋登録画面は、一例を示すと、登録を希望する指紋が指紋検出部３２０によって読み取られるように、その指を指紋検出部３２０上に載置すること、載置した指を指紋の登録が完了するまで動かさないように促すこと、とが記載されている。登録を希望する指紋が指紋検出部３２０を用いて読取部５３０によって読み取られると、その指紋情報は、登録部５２０によってメモリ５１０に登録される。
【００６０】
指紋の登録が完了すると、ユーザは、初期設定の一貫として、メニュー表示部３３０の各々に対する指示内容の設定をしなければならない。これを実現するため、表示画像生成部５７０は、タッチパネルディスプレイ３１０に対して設定画面を表示する。
【００６１】
具体的には、まず、メニュー表示部３３０のいずれかを選択させる画面を表示する。ユーザが例えば指紋検出部３２０の上側のメニュー表示部３３０をタッチすると、そのアイコンに割り当てるべき「コピー」、「ファクシミリ」などの種別を選択させる選択画面に移行する。ユーザが選択画面を通じて例えば「コピー」を選択すると、つぎの設定部５４０によって、「コピー」という指示と指紋検出部３２０の上側のメニュー表示部３３０とが紐付けられてメモリ５１０に設定される。
【００６２】
同様の手順によって、全てのメニュー表示部３３０に対する種別が設定されると、生成部５５０は、図２（ａ）又は図２（ｂ）に示す指紋検出部３２０及びメニュー表示部３３０の画面に、設定部５４０によって設定された指示内容を重畳させて、図３に示すような指示内容を示す第１〜第４アイコン３３０ａ〜３３０ｄを含む画面を生成してメモリ５１０に格納する。こうして、初期設定が完了する。
【００６３】
また、例えば、複写機能を利用する場合、スキャン機能を利用する場合など、機能に応じて、同一のユーザであっても表示するメニューを切り替えるのであれば、登録時に、指紋認証と対応させたい機能とをユーザに選択させ、選択された機能に応じて、メニュー項目の候補を切り替え、そこからユーザにメニュー項目を選択してもらうとよい。同じ機能であっても、異なった設定内容毎の画面があるのであれば、その画面にメニューを対応させるようにしてもよい。そのためには、登録時に、指紋認証と対応させたい機能と設定内容とをユーザに選択させ、選択された機能と設定内容に応じて、メニュー項目の候補を切り替え、そこからユーザにメニュー項目を選択してもらうとよい。実際にメニューを表示する場合には、装置は、現在選択されている機能又は現在表示している画面を把握しているので、判別したユーザと把握した機能、画面との組み合わせに基づいて、メニュー項目を切り替えることができる。
【００６４】
つぎに、初期設定を済ませたユーザが、複合機８００でのコピー、ファクシミリ或いはスキャンなどを希望する場合には、例えば、操作パネル部８４３を図１に示す状態から、操作面が略水平となるように回動させたり、タッチパネルディスプレイ３１０をタッチしたりして、複合機８００を省エネルギーモードから通常モードに復帰させる。
【００６５】
通常モードでは、まず、表示画像生成部５７０によって、タッチパネルディスプレイ３１０に指紋検出部３２０の位置を示すアイコンを表示するとともに、指紋認証を行うために指紋検出部３２０に指を載置することを促す画面を表示する。ただし、この際、タッチパネルディスプレイ３１０には、メニュー表示部３３０は表示されない。
【００６６】
つづいて、ユーザが、表示部８４５の表示内容に従って、指紋検出部３２０に指を載置すると、読取部５３０は、指紋検出部を用いてユーザ認証に必要な情報として、載置された指の指紋情報を読み取って認証部５６０に出力する。
【００６７】
認証部５６０は、読取部５３０から出力された指紋情報を入力すると、この指紋情報をメモリ５１０に登録済みの指紋情報と照合する。この結果、入力された指紋情報が登録済みの何れの指紋情報とも一致しない場合には、表示画像生成部５７０は、「認証ＮＧ」などの画面をタッチパネルディスプレイ３１０に表示する。
【００６８】
ここでは、初期設定を済ませた何れかのユーザが、指紋認証を行っているので、そのユーザの登録済みの指紋情報と入力された指紋情報は一致し、表示画像生成部５７０は、タッチパネルディスプレイ３１０に、生成部５５０によって生成された画面を表示する。この画面は、図３に示すように、指紋検出部３２０の周辺にメニュー表示部３３０が位置する画面を表示する際、例えば、ユーザに対して表示部８４５に「希望する指示のアイコンに向けて指を動かして下さい」などの表示をするか、図示しないスピーカを通じて、このような音声ガイダンスを行ってもよい。
【００６９】
例えば、図３に示すように指示が割り当てされているとすると、ユーザは、複合機８００に対してコピーの指示を選択したい場合には、指紋検出部３２０にユーザが指を載置した状態で上側に向けてフリック操作又はスライド動作を行えばよい。
【００７０】
なお、フリック操作又はスライド動作に代えて、ユーザが指紋検出部３２０から指を離して、所望の指示が割り当てられているアイコンをタッチすることによって、複合機８００に対する指示を選択してもよい。
【００７１】
ただし、通常、アイコンに割り当てた指示は頻繁に変更されることはないと考えられるので、ユーザは、各々のメニュー表示部３３０に対して、どのような指示が割り当てられているかを記憶することも多いと考えられる。この場合には、アイコンを目視してからタッチするよりも、４方向のいずれかにフリック操作又はスライド動作を行うことで指示が行えれば便利である。
【００７２】
一方、指紋認証を行ったユーザが、所定時間内に、フリック操作などのその後に続く処理を行わなかった場合には、複合機８００の制御部は、そのままメニューの表示を予め複合機８００側又はユーザによって選択された時間の到来まで継続させてもよいが、指紋認証を行ったユーザ以外の者による予期しない指示がなされることを回避したり、節電を目的としたりして、複合機８００が自発的に省エネルギーモードに遷移させてもよい。
【００７３】
なお、省エネルギーモードへの遷移は、複合機８００が自発的に行うのではなく、指紋認証を行ったユーザの明示的な指示によって、或いは、複合機８００の付近に誰もいない状況に気付いた善意の第三者が節電のためなどを理由として行ってもよい。
【００７４】
このため、指紋認証を行ってからその後に続く処理が所定時間内になされなかった場合には、それを報知するためのアラートを発するなどしてもよい。また、あくまで省エネルギーモードへの遷移指示は、指紋認証を行ったユーザ本人に実行を委ねたい場合も考えられるので、例えば、当該ユーザが、もう一度、認証部５６０をタップするなどの、特定の操作を行った場合にのみなされるようにしてもよい。
【００７５】
また、図２（ｂ）に示す態様で８つのメニュー表示部３３０が表示される場合には、指紋検出部３２０の例えば真上には２つのアイコンが位置している。したがって、係る場合には、移動検知部５８０は単にフリック方向等を検知するだけでは、これらのアイコンのいずれに対応する指示が選択されたかを判定できない。
【００７６】
したがって、係る場合には、ユーザに対して、選択したい指示に対応するアイコンの表示位置まで指を動かすように指示しておけば、移動検知部５８０が、フリック方向等に加えて指の移動距離を検知することによって、或いは、ユーザの指が表示部８４５から離れた位置を検知することによって、いずれの指示が選択されたかを判定することができる。
【００７７】
選択されたメニュー項目は、図２（ａ）の場合には、指紋検出部３２０を基準としてみた場合の各メニュー項目が配置されている方向とユーザのフリック方向とにより特定することができる。また、図２（ｂ）の場合には、指紋検出部３２０を基準としてみた場合の各メニュー項目が配置されている方向とユーザのフリック方向とに加えて、フリック操作時におけるユーザがタッチパネルディスプレイ３１０から指を離すまでに指が移動した距離により特定することができる。また、ユーザが一旦指を離してからメニュー項目に指を置いた場合には、その置いた位置の座標を検出し、その座標と各メニュー項目の座標とに基づいて、ユーザにより選択されたメニュー項目を特定してよいし、その置いた位置の指紋検出部３２０からの方向と、指紋検出部３２０を基準としてみた場合の各メニュー項目が配置されている方向とに基づいて、ユーザにより選択されたメニュー項目を特定してもよい。
【００７８】
特定されたメニュー項目は、例えば、それを示すコード（数字、文字列、これらの組合せなど）として複合機８００の制御部に出力される。そのコードを受け取った複合機８００の制御部は、それをデコードして、デコード結果と現在の状態とに基づいて次の状態又は動作を決定する。
【００７９】
なお、メニューを表示した後に所定時間が経過してもユーザにより何れのメニュー項目も選択されない場合には、それだけで、メニューを消去してもよい。また、メニューを消去するためには、ユーザによるメニュー項目の選択以外の所定の入力（例えば、操作パネルに設けられた所定ボタンの押下、指紋入力部の再度のタップなど）が必要であるようにしてもよい。
【００８０】
なお、本実施形態では、ユーザ認証として指紋認証を行う場合を例に説明したが、指紋以外の声紋、網膜、虹彩、掌形、血管、顔などの各種生体認証を行ってもよい。その場合、タッチパネルディスプレイ３１０の指を載置されている場所を特定し、その周辺にメニューを表示すればよい。
【００８１】
［第２の実施の形態］
本発明の第２の実施の形態は、図５に示すように、表示部８４５に付帯して配設された表示機能付き入力ユニット４１０を含むものである。表示機能付き入力ユニット４１０は、指紋検出部３２０と、これを中心に十字状に伸びる４つの部分より構成されるタッチセンサであるところのタッチセンサディスプレイ３４０とを含む。タッチセンサディスプレイ３４０の各部分は、メニュー項目を表示するためのメニュー表示部３３０を有する。
【００８２】
指紋検出部３２０は、ユーザの指紋を入力する機能を有し、入力された指紋の画像又はそこから抽出した指紋の特徴パラメータを認証部５６０に出力する。
【００８３】
タッチセンサディスプレイ３４０は、メニュー表示部３３０により４つのメニュー項目を表示する機能と、ユーザの指が指紋検出部３２０からどのメニュー項目の方向にフリック等されたのかを検出する機能を有する。表示機能付き入力ユニット４１０が、指紋検出部３２０と、これを中心に八方に伸びるタッチセンサディスプレイとを含むのであれば、メニュー項目の数を８に増やすことができる。また、矩形のタッチセンサディスプレイの中央部に指紋検出部３２０を設け、その全周にメニュー表示部３３０を配置する構成としてもよい。この場合には、メニュー表示部の表示領域を調整することにより、メニュー項目の数を任意にすることができる。いずれの場合であっても、指紋検出部３２０の位置を基準としたメニュー項目が配置された方向とフリックの方向とを比較することにより、ユーザにより選択されたメニュー項目を検出することができる。また、いずれの場合であっても、指紋検出部３２０の全周を囲むようにタッチセンサディスプレイ３４０を配置してもよいし、その一部を囲むようにタッチセンサディスプレイ３４０を配置してもよい。さらに、いずれの場合であっても、指紋検出部３２０の表面とタッチセンサ３４０の表面との間に段差が生じないようにすれば、ユーザによるフリック操作が容易になる。
【００８４】
本実施形態の複合機８００では、タッチパネルディスプレイ３１０に指紋検出部３２０及びタッチセンサディスプレイ３４０のうちのタッチセンス機能を設ける必要はない。このため、タッチパネルディスプレイ３１０は、必ずしもタッチパネル式である必要はない。しかし、他の用途などのためにタッチパネル式であってもよい。
【００８５】
表示機能付き入力ユニット４１０も、タッチパネルディスプレイ３１０と同様に、操作パネル部８４３に配置することができるが、原稿読み取り部２００周辺で、原稿送り装置１００やプラテンカバーなどと接触しない位置、或いは、複合機本体８３０でユーザの邪魔にならない位置などに設けてもよい。また、表示機能付き入力ユニット４１０を複合機８００から独立させてもよい。この場合には、例えば、表示機能付き入力ユニット４１０は、指紋検出部３２０とメニュー表示部３３０とタッチセンサディスプレイ３４０とが表面に露出するように内蔵できるような筐体と、複合機８００との間で通信するための通信部とを含むポータブル装置としてもよい。
【００８６】
本実施形態においても、第１の実施の形態と同様の操作によって、ユーザが、指紋認証に必要な操作と、所望の指示を複合機本体８３０に入力とを実施できるようにしている。
【００８７】
すなわち、ユーザが既述の初期設定後に何らかの画像形成に必要な指示を希望して指紋検出部３２０に指紋登録済みの指を載置すると、指紋検出部３２０によって指紋が読み取られ、複合機本体８３０は、これに応じてユーザ認証を行い、認証できたことを条件に、タッチセンサディスプレイ３４０にメニュー表示部３３０を含む画面を表示するようにしている。
【００８８】
このため、ユーザは、指紋検出部３２０に載置した指のフリック操作等を行うことで、メニュー表示部３３０を通じて所望の指示を行えばよい。
【００８９】
なお、例えば、表示機能付き入力ユニット４１０の配置位置を調整したり、これを含むポータブル装置の配置位置を調整したりすれば、ユーザが指紋検出部３２０に常時指を載置していても、指、手、腕などがタッチパネルディスプレイ３１０による画面表示を邪魔することがない。従って、一旦、指紋認証をしたならば、ユーザは、指紋検出部３２０に指を載置したまま、あるいは、必要時に載置することにより、その時々に有効になっている機能や画面によって切り替わるメニュー表示部３３０に表示されるメニュー項目から、必要なメニュー項目を選択することができるようになる。
【００９０】
また、第２の実施の形態による表示機能付き入力ユニット４１０は、タッチパネルディスプレイ３１０による表示と入力を補助する役割を有するものであってもよいが、例えば、複合機８００が小型であれば、タッチパネルディスプレイ３１０を省略して、表示機能付き入力ユニット４１０が単独で表示と入力とをするようにしてもよい。
【００９１】
さらに、指紋検出部３２０は、二次元センサを備えるものであってもよいし、一次元センサを備えるものであってもよい。一次元センサの場合には、それをタッチセンサディスプレイ３４０との境界付近に配置すれば、ユーザが、指をスライドさせながら、中央部まで移動したならば、メニューを表示させられる。
【００９２】
［第３の実施の形態］
本発明の第３の実施の形態は、図６に示すように、表示部８４５に付帯して配設された表示機能無し入力ユニット４２０を含むものである。表示機能無し入力ユニット４２０は、指紋検出部３２０と、これを中心に十字状に伸びる４つの部分より構成されるタッチセンサ３６０を含む。
【００９３】
ここで、第２の実施の形態とは異なり、タッチセンサ３６０は、メニュー表示部を有していない。その代わりに、メニュー項目の表示は、ディスプレイ３５０が行う。これを図６では、ディスプレイ３５０上のメニュー表示部３３０として示す。メニュー表示部３３０を、ディスプレイ３５０上のどの位置にどの程度の大きさで配置してもよいが、例えば、中央部に大きく表示してもよい。特に、視覚性を考慮して、表示機能無し入力ユニット４２０よりも大きく表示してもよい。なお、念のため付言すると、ここでは、メニュー表示部３３０は、タッチセンサ３６０に対応させていて、指紋検出部３２０で指紋を認証することによって特定されるユーザに依存するメニュー項目を示す画像が、メニュー表示部３３０に表示される。
【００９４】
指紋検出部３２０は、ユーザの指紋を入力する機能を有し、入力された指紋の画像又はそこから抽出した指紋の特徴パラメータを認証部５６０に出力する。
【００９５】
タッチセンサ３６０は、ユーザの指が指紋検出部３２０からディスプレイ３５０に表示されているどのメニュー項目の方向にフリックされたのかを検出する機能を有する。ここで、メニューの方向とは、ディスプレイ３５０に並んで配置されているメニュー項目の中心から見た方向である。ディスプレイ３５０に、この中心の位置がわかるようなマークを表示してもよい。
【００９６】
表示機能無し入力ユニット４２０が指紋検出部３２０と、これを中心に八方に伸びるタッチセンサを含むのであれば、メニュー項目の数を８に増やすことができる。また、矩形のタッチセンサの中央部に指紋検出部３２０を設ける構成としてもよい。この場合には、ディスプレイ３５０に表示するメニュー項目の表示領域を調整することにより、メニュー項目の数を任意にすることができる。いずれの場合であっても、指紋検出部３２０の位置を基準としたメニュー項目が配置された方向とフリックの方向とを比較することにより、ユーザにより選択されたメニュー項目を検出することができる。また、いずれの場合であっても、指紋検出部３２０の全周を囲むようにディスプレイ３５０を配置してもよいし、その一部を囲むようにディスプレイ３５０を配置してもよい。さらに、いずれの場合であっても、指紋検出部３２０の表面とタッチセンサ３４０の表面との間に段差が生じないようにすれば、ユーザによるフリック操作が容易になる。
【００９７】
本実施形態の複合機８００では、ディスプレイ３５０に指紋検出部３２０及びタッチセンサ３６０を設ける必要はない。このため、ディスプレイ３５０としては、タッチパネル式でないものを利用することとしている。しかし、他の用途などのためにタッチパネル式であってもよい。
【００９８】
表示機能無し入力ユニット４２０も、ディスプレイ３５０と同様に、操作パネル部８４３に配置することができるが、原稿読み取り部２００周辺で、原稿送り装置１００やプラテンカバーなどと接触しない位置、或いは、複合機本体８３０でユーザの邪魔にならない位置などに設けてもよい。また、表示機能無し入力ユニット４２０を複合機８００から独立させてもよい。この場合には、例えば、表示機能無し入力ユニット４２０は、指紋検出部３２０等が表面に露出するように内蔵できるような筐体と、複合機８００との間で通信するための通信部とを含むポータブル装置としてもよい。
【００９９】
本実施形態においても、第１及び第２の実施の形態と同様の操作によって、ユーザが、指紋認証に必要な操作と、所望の指示を複合機本体８３０に入力とを実施できるようにしている。
【０１００】
すなわち、ユーザが既述の初期設定後に何らかの画像形成に必要な指示を希望して指紋検出部３２０に指紋登録済みの指を載置すると、指紋検出部３２０によって指紋が読み取られ、複合機本体８３０は、これに応じてユーザ認証を行う。そして、認証できたことを条件に、ディスプレイ３５０にメニュー表示部３３０を表示する。
【０１０１】
このため、ユーザは、指紋検出部３２０に載置した指のフリック操作等を行うことで、タッチセンサ３６０を通じて所望の指示を行えばよい。
【０１０２】
なお、例えば、表示機能無し入力ユニット４２０の配置位置を調整したり、これを含むポータブル装置の配置位置を調整したりすれば、ユーザが指紋検出部３２０に常時指を載置していても、指、手、腕などがディスプレイ３５０による画面表示を邪魔することがない。したがって、一旦、指紋認証をしたならば、ユーザは、指紋検出部３２０に指を載置したまま、あるいは、必要時に載置することにより、その時々に有効になっている機能や画面によって切り替わるメニュー表示部３３０に表示されるメニュー項目から、必要なメニュー項目を選択することができるようになる。
【０１０３】
また、第２の実施の形態と同様に、指紋検出部３２０は、二次元センサを備えるものであってもよいし、一次元センサを備えるものであってもよい。一次元センサの場合には、それをタッチセンサディスプレイ３４０との境界付近に配置すれば、ユーザが、指をスライドさせながら、中央部まで移動したならば、メニューを表示させられる。
【０１０４】
［第４の実施の形態］
図７は、本発明の第４の実施の形態に係るタッチパネルディスプレイ３１０の表示例を示す図である。
【０１０５】
第１の実施の形態等では、主として、指紋によりユーザ認証を行う場合について説明したが、本実施形態では、ユーザ情報が登録された記録媒体を通じてユーザ認証を行う場合について説明する。
【０１０６】
例えば、近年、社員ＩＤなどが登録されたＩＣカード社員証などが普及しており、オフィスの入り口などにはセキュリティゲートが設置されつつある。この場合には、セキュリティゲートを通過する際には、ユーザは、ＩＣカード社員証をカードリーダにかざした個人認証を行っている。
【０１０７】
また、電車、バス等の乗車運賃の支払い等を行える交通系カードといったＩＣカードも広く普及している。社員証であろうが交通系カードであろうが、ＩＣカードにはユーザ情報を登録することができるので、カードリーダを複合機８００に設けておけば、個人認証を行うことが可能である。
【０１０８】
更に、複合機８００に特化したＩＣカードにＩＤを登録してこれにより個人認証をすることもができる。
【０１０９】
そこで、本実施形態では、複合機８００の個人認証を行えるようにするとともに、係る場合においても、優れた操作性を発揮できるようにしている。
【０１１０】
図７には、既述のタッチパネルディスプレイ３１０及びメニュー表示部３３０に加えて、指紋検出部３２０に代えてタッチパネルディスプレイ３１０の背面に設けられたＮＦＣ（Near field radio communication：近距離無線通信）アンテナ３７０と、ＮＦＣアンテナ３７０に接続されたＮＦＣリーダライタによって読み取られるユーザ情報が登録されているＩＣカード７００とを示している。
【０１１１】
本実施形態においては、ＩＣカード７００を用いて、メニュー項目の選択を行うために、ＮＦＣアンテナ３７０を図７に示すようにタッチパネル３１０を囲むように配設している。複合機８００にログイン用に個人認証するためには、ＮＦＣアンテナ３７０を用いてもよいが、複合機８００において別途配設されたＮＦＣアンテナを用いてもよい。
【０１１２】
また、タッチパネルディスプレイ３１０は、ＩＣカードが載置された位置を検出する機能を有する。例えば、タッチパネルディスプレイ３１０の表面全体に光センサを配置すれば、ＩＣカードが載置された位置とそうでない位置との受光量の相違により、ＩＣカードが載置された位置を検出する機能を持たせることができる。また、タッチパネルディスプレイ３１０の表面全体に静電容量式のセンサを配置すれば、ＩＣカードが載置された位置とそうでない位置との静電容量又は荷電量の相違により、ＩＣカードが載置された位置を検出する機能を持たせることができる。
【０１１３】
初期設定については、既存の指紋の登録に代えて、ＩＣカード７００に格納されているユーザＩＤを複合機８００に対して登録すればよい。パスワードを追加して登録して、認証時にパスワードを求めるようにしてもよい。
【０１１４】
次に、メニュー項目を選択する場合の動作についての説明をする。
【０１１５】
まず、ユーザによりタッチパネルディスプレイ３１０にＩＣカード７００が載置されると、ＮＦＣアンテナ３７０を用いたＮＦＣが開始され、ＩＣカード７００に保存されているユーザＩＤがＮＦＣアンテナ３７０に接続されたＮＦＣリーダライタにより読み込まれる。これにより個人認証が行われ、ユーザが特定される。なお、個人認証を行う場合に、ＩＣカード７００に保存されているユーザＩＤのみならず、パスワードを用いるようにしてもよい。この場合には、ユーザにパスワードを入力させる。
【０１１６】
引き続き、ユーザに応じた複数のメニュー項目がタッチパネルディスプレイ３１０のメニュー表示部３３０に表示される。
【０１１７】
ここで、メニュー表示部３３０が、図７に示すように、ＩＣカード７００が載置された位置の周辺に現れるようにする。このためには、上述したように、タッチパネルディスプレイ３１０の位置検出機能によりＩＣカード７００が載置された位置を特定しておく。
【０１１８】
つぎに、ユーザによりＩＣカード７００がメニュー表示部３３０に含まれる何れかのメニュー項目の位置までスライドさせられたならば、スライド方向を検出し、これによりユーザにより選択されたメニュー項目を特定する。
【０１１９】
メニューは、一層構造に限らず多層構造にしてもよい。一層構造の場合には、メニューの表示と選択されたメニュー項目の特定とを１回行えば、選択されたメニュー項目に応じた動作を複合機８００が行うが、多層構造の例として２構造の場合には、第１層のメニューの表示と選択された第１層のメニュー項目の特定の次に、選択された第１層のメニュー項目に応じた第２層のメニューの表示と選択された第２層のメニュー項目の特定とを行い、選択された第２層のメニュー項目に応じた動作を複合機８００が行う。特に、第１の実施の形態及び第４の実施の形態においては、第１層の選択されたメニュー項目を中心としてその周辺に第２層のメニュー項目を表示することができるが、こうすれば、ユーザは、第１層のメニュー項目を選択してから、第２層のメニュー項目を選択するまでの間に、指紋検出部まで一旦指を戻す必要がなくなる。
【０１２０】
また、メニューは１以上のメニュー項目を含んでいればよい。そして、１以上のメニュー項目のうちの少なくとも１項目が認証されたユーザに依存するものであればよい。
【０１２１】
［第５の実施の形態］
図８は、本発明の第５の実施の形態による複合機８００の内部構成図である。図９は、図８に示す複合機の機能ブロック図である。図８及び図９に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【０１２２】
画像読取りのために原稿読取装置８２０を単体で用いること、画像形成のために複合機本体８３０を単体で用いることの他に、画像を複写するためにこれらを連動させることもできる。また、複合機８００、一般的に、図示しない記憶装置及びファクシミリ装置を含んでいるが、必ずしもこれらを含まなくてもよい。記憶装置は、原稿読取装置８２０により読み取られた画像、又は、ファクシミリ装置により受信した画像を格納することができる。ファクシミリ装置は、原稿読取装置８２０により読み取られた画像や記憶装置に格納されている画像を送信することと、外部から画像を受信することとができる。さらに、複合機８００は、ネットワークを介して図示しないパーソナルコンピュータと接続するためのインターフェースを含んでいてもよい。複合機８００に接続されたパーソナルコンピュータは、これが管理できるデータについて複合機の機能を利用することができる。
【０１２３】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図９に示す構成要素の他に、図９は示されないが図８に示される構成要素も含む。また、図８に示すように、読取装置本体８２２には、原稿台８２６が備わる。
【０１２４】
図１に示した給紙トレイ６００は、シートを給送するシート給送部１０と、シートを手差し給送可能な手差し給送部２０と、シート給送部１０又は手差し給送部２０により給送されるシートに画像を形成する画像形成部３０と、を備えている。
【０１２５】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１２６】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１２７】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１２８】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１２９】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１３０】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１３１】
操作パネル部８４３は、所定の情報を表示する表示部８４５と、ユーザが原稿読取装置８２０及び複合機本体８３０への印刷枚数などの指示を入力する入力部８４７と、を備えている。本実施形態においては、操作パネル部８４３は、読取装置本体８２２の正面側に配設されている。なお、正面側は図８の紙面の手前側に対応し、裏面側は図８の背面側に対応する。
【０１３２】
図９に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、ユーザによる操作パネル部８４３への操作に基づいて、シート給送部１０、手差し給送部２０、画像形成部３０及び原稿読取装置８２０の動作を統合して制御し、シートに画像を形成させる。
【０１３３】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１３４】
ユーザによる操作パネル部８４３の入力部８４７への入力により、画像形成開始信号が発信されると、ユーザにより原稿自動給送部８２４に載置された読取原稿が原稿読取位置に向けて自動給送され、原稿読取位置で読取装置本体８２２によって画像が読み取られる。
【０１３５】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１３６】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１３７】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１３８】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１３９】
第１乃至第５の実施形態によるメニュー装置、入力装置及び操作パネルユニットは、ハードウェア、ソフトウェア又はこれらの組み合わせにより実現することができる。また、メニュー装置、入力装置及び操作パネルユニットにより行なわれるメニュー提供方法も、ハードウェア、ソフトウェア又はこれらに組み合わせにより実現することができる。ここで、ソフトウェアによって実現されるとは、コンピュータがプログラムを読み込んで実行することにより実現されることを意味する。
【０１４０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１４１】
本発明は、複合機等の装置に利用することができる。また、コンピュータ画面やコンピュータインターフェースにも利用することができる。
【符号の説明】
【０１４２】
１００  原稿送り装置
２００  原稿読み取り部
３１０  タッチパネルディスプレイ
３２０  指紋検出部
３３０  メニュー表示部
３４０  タッチセンサディスプレイ
３５０  ディスプレイ
３６０  タッチセンサ
３７０  ＮＦＣアンテナ
５００  複合機本体
５１０  メモリ
５２０  登録部
５３０  読取部
５４０  設定部
５５０  生成部
５６０  認証部
５７０  表示部
５８０  移動検知部
６００  給紙トレイ
７００  ＩＣカード
８４３  操作パネル部
８４５  表示部
【図１】
2018136665.tif 000003
【図２】
2018136665.tif 000004
【図３】
2018136665.tif 000005
【図４】
2018136665.tif 000006
【図４Ｂ】
2018136665.tif 000007
【図５】
2018136665.tif 000008
【図６】
2018136665.tif 000009
【図７】
2018136665.tif 000010
【図８】
2018136665.tif 000011
【図９】
2018136665.tif 000012